(57)【要約】ケーブルターミナル又はコネクターは、複数の電気プローブを有する。各プローブは、ボアを規定する導電性スリーブを有し、ボアに収容されるプローブピンを有する。スリーブを支持する回路基板の周囲部を超えて第１方向に延在する自由端コンタクトチップを、プローブピンは有し、プローブピンは第１方向にバイアスする。プローブピンはチップのそばに電子要素を含む。電子要素は並列に配置されるコンデンサ及び抵抗器であってよく、第１及び第２部分の間に唯一の電気的連絡を提供する。第１及び第２要素の各々のフランジの間に要素を設けて、フランジに接続するスリーブで包囲してよい。チップを有する第２部分は、プローブ及びコネクターの寸法及び他の要素と比較して相当短い。
2007533974.tif 000002
【特許請求の範囲】
【請求項１】
（１）ボアを規定する導電性スリーブ；及び
（２）ボアに収容されるプローブピン
を含んで成る電気プローブであって、
該プローブピンは、
（ａ）第１方向に延在する自由端コンタクトチップを有し；
（ｂ）第１方向にバイアスし；及び
（ｃ）自由端コンタクトチップとピンの反対の端との間に直列的に介在する電子要素を含む電気プローブ。
【請求項２】
電子要素は、ピンより実質的に大きな抵抗を有する抵抗器を含む請求項１に記載のプローブ。
【請求項３】
電子要素は、抵抗器と並列のコンデンサを含む請求項２に記載のプローブ。
【請求項４】
電子要素は、コンデンサを含む請求項１に記載のプローブ。
【請求項５】
（１）ボアを規定する導電性スリーブ；及び
（２）ボアに収容されるプローブピンを含んで成る電気プローブであって、
該プローブピンは、
（ａ）第１方向に延在する自由端コンタクトチップを有し；
（ｂ）第１方向にバイアスし；及び
（ｃ）コンデンサを含む
プローブ。
【請求項６】
プローブピンは、ピンより実質的に大きな抵抗を有する抵抗器を含む請求項５に記載のプローブ。
【請求項７】
コンデンサは、抵抗器と並列で接続された請求項６に記載のプローブ。
【請求項８】
ピンは、スリーブに収容される第１導電性部分を有し、第２導電性部分は、チップを含み、電子要素は、第１部分と第２部分との間に接続される請求項１又は５に記載のプローブ。
【請求項９】
第１部分と第２部分は、電子要素によって接続されていることを除いて、電気的に絶縁されている請求項８に記載のプローブ。
【請求項１０】
第１部分と第２部分は、各々フランジを有し、フランジは離隔して、電子要素に接続されている請求項８に記載のプローブ。
【請求項１１】
フランジと電子要素を包囲する円筒形スリーブを含む請求項１０に記載のプローブ。
【請求項１２】
第２部分は、その直径の二倍より短い長さを有する請求項８に記載のプローブ。
【請求項１３】
第２部分は、０．５０インチより短い長さを有する請求項８に記載のプローブ。
【請求項１４】
（１）ボディー；及び
（２）ボディーに接続される複数のプローブを含んで成る電気プローブであって、
各プローブは金属コンタクトチップを有するスプリングバイアスピンを有し、
各ピンは、チップに隣接した電子要素を含み、チップとピンの反対の端との間に直列的に介在する電気コネクター。
【請求項１５】
ボディーは、周囲部を有する回路基板であり、チップの各々は周囲部を超えて延在する請求項１４に記載のコネクター。
【請求項１６】
各電子要素は、並列に配置されたコンデンサと抵抗器を含む請求項１４に記載のコネクター。
【請求項１７】
各ピンは、ボディーの導体に電気的に接続されて、設けられたスリーブに収容され、各ピンは、スリーブの内で軸方向に往復する請求項１４に記載のコネクター。
【請求項１８】
各ピンは、スリーブ内に収容される第１導電性部分を有し、第２導電性部分はチップを含み、電子要素は、第１部分と第２部分との間に接続される請求項１７に記載のコネクター。
【請求項１９】
第１部分と第２部分は、電子要素によって接続されていることを除いて、電気的に絶縁されている請求項１８に記載のコネクター。
【請求項２０】
第１部分と第２部分の各々は、フランジを有し、フランジは相互に離隔して、電子要素に接続されている請求項１８に記載のコネクター。
【請求項２１】
第２部分は、その直径の二倍より短い長さを有する請求項１８に記載のコネクター。
【請求項２２】
プローブは第１ピッチ距離で配置され、第２部分は、第１ピッチ距離より短い長さを有する請求項１８に記載のコネクター。
【請求項２３】
ケーブルの複数の導体の各々は、独立して各プローブに接続されるように、ボディーと電気的に接続されるケーブルを含む請求項１７に記載のコネクター。
【発明の詳細な説明】
【技術分野】
【０００１】
本発明は電気プローブに関し、より特には、複数の導体を有する高速ケーブルターミナル用プローブに関する。
【背景技術】
【０００２】
ある高速電気ケーブルターミナルは、スプリングピンのアレイを用いて、試験中の回路基板又は集積回路のパッド又はランドとコンタクト（接触又は接続）する、又は永久接続のために電子デバイスの接続とコンタクトする。スプリングピンは、真っ直ぐで伸びた（又は細長い）ピンであって、円筒型スリーブに収容され、スプリング圧によって、伸展位に軸方向にバイアスする。全てのピンは、同方向に延在し、共平面にピンチップ（pin tip）を有する。調査し又は接続するデバイスとターミナルを配列させ、及び軸圧を適用することにより、最小の圧力で各ピンによるコンタクトを確保する。各ピンが動く範囲は、コンタクトするデバイスの外観の変化、及び各ピンの位置のわずかな変化に適応させる。
【０００３】
きわめて高周波数の信号を伝達すべき用途に対して、ターミナルが接続されるケーブルは、同軸ワイヤーから形成してよく、シールドされる各々は、しっかりした性能を提供し、混信（又はクロストーク）及び他の電子干渉を防止する。金属シールド層を有するターミナルハウジングは、ピンを保持するスリーブを含む。一のそのような特に有効なデバイスは、米国特許第６，５７５，７７２（Soubh）に示されており、参照することでその開示は本明細書に組み込まれる。この従来技術のコネクターは、相当短いプローブ間隔を有する高インピーダンス／高周波数プローブアセンブリを提供することに有効であると示されている。５ＧＨｚの高さの周波数に有効と思われる。しかし、有効であるが、この限界は、より高い周波数の用途への使用を妨げる。
【発明の開示】
【課題を解決するための手段】
【０００４】
本発明の要約
複数の電気プローブを有するコネクター又はケーブルターミナル（又は端子）を供給することによって、従来技術の限界を、本発明は克服する。各々のプローブは、ボア（又は穴：bore）を規定する導電性スリーブを有し、ボアに収容されるプローブピンを含む。プローブピンは、スリーブを支持する回路基板の周囲部を超えて第１方向に延在する自由端コンタクトチップ（free end contact tip）を有し、プローブピンは第１方向にバイアスする（偏在する又は片寄る）。プローブピンはチップ（又は先端：tip）の近くに電子要素（又は電子部品）を含む。要素は、並列に配置される抵抗器及びコンデンサーであってよく、第１及び第２部分間に唯一の電気的連絡をもたらす。要素は、第１及び第２要素の各々のフランジの間に設けられ、フランジに接続されるスリーブに囲まれてよい。チップを有する第２部分は、プローブ及びコネクターの寸法及び他の要素と比べると相当短い。
【発明を実施するための最良の形態】
【０００５】
好ましい態様の詳細な説明
図１は、ケーブルターミナル１０の分解図を示す。ターミナルは、プリント回路基板１２を含み、これに、第１リボンケーブル１４及び第２リボンケーブル１６が接続される。複数のスプリングピン２０も基板に接続される。上のシェルハーフ（shell haft）２２と下のシェルハーフ２４を有するハウジングは、基板を包囲する。
【０００６】
プリント基板は、ケーブル取り付けエッジ（又は縁）２６及び対向するピン取り付けエッジ３０を有する通常矩形の形状である。基板は露出したパッドと被覆された配線（又は回路：trace）のパターンを含み、全ては、例えば銅箔等の導電性材料から形成される。基板の上の主表面３２を参照すると、パターンは、ケーブル取り付けエッジ２６と平行で隣接する長尺の（又は細長い）アースバー３４を含む。分離した信号パッド４０のアレイ３６は、アースバーと隣接し平行であり、各パッドは、エッジ２６と垂直である。
【０００７】
長尺のピン取り付けパッド４４のアレイ４２は、基板のピン取り付けエッジ３０の全体長に沿って配置される。各パッドは、基板のエッジ３０に対して垂直な軸を有する露出した長尺要素である。アレイ４２は、奇数のパッドを有し、一番端のパッドは奇数番号であると考えられる。全ての奇数パッドは、基板表面の配線、及び／又は後ほど説明する埋め込まれた接地面を経由して、アースバー３４に接続される。間に存在する偶数番号のパッドは、各々独立して対応する信号パッド４０と接続される。
【０００８】
基板は、上側表面３２と同様のパターンが付された下側主表面４６を有し、その結果上側表面の全ての特徴及び機能は、下側表面にて同様の特徴又は機能を有する。基板は、種々の深さで複数の埋め込まれた接地面を含み、これは図２に関して後で説明する。好ましい態様において、基板は、３５．４ｍｍ（１．３９５インチ）幅×２３．７ｍｍ（０．９３５インチ）長さ（エッジ２６〜エッジ３０）である。基板は２．１８ｍｍ（０．０８６インチ）厚を有し、ＧＥＴＥＫ（登録商標）ラミネートでできている。アースバー３４は、２．５ｍｍ（０．１０インチ）幅、及び１８．０ｍｍ（０．７１インチ）長である。好ましい態様では、各面に１６の信号パッド４０が有るが、これは用途に応じて変えることができる。信号パッドは、中心間で１．６８ｍｍ（０．０６６インチ）間隔で離れ、各パッドは０．８９ｍｍ（０．０３５インチ）幅、２．３ｍｍ（０．０９０インチ）長である。ピンパッド４４は、中心間で１．９ｍｍ（０．０７５インチ）間隔であり、各パッドは０．６４ｍｍ（０．０２５インチ）幅、１．３ｍｍ（０．５０インチ）長である。
【０００９】
ケーブル１４と１６は、同じであり、各々は１６本のワイヤー５０を有する（その数は、信号パッドに関して上述したように変えることができる）。各ケーブルは、互いに並んで、少なくとも端部で結合されるワイヤーを有するリボンとして形成される。ワイヤーは同軸ワイヤーであり、中心の信号伝達導体５２は誘電体５４に囲まれ、誘電体は導電性シールド５６によって包まれている。ジャケット６０は、シールドを囲む。好ましい態様において、中心の導体は、２６ゲージ（gauge）であり、誘電体は１．３５ｍｍ（０．０５３インチ）の直径を有し、シールドは銅箔である。ジャケットはＰＶＣでできている。ワイヤーは１．６８ｍｍ（０．０６６インチ）の間隔で配置され、基板上の信号パッド４０と同様である。
【００１０】
スプリングピン２０は、後で説明するように、電子要素を含む拡大部分６５を有するピンアセンブリ６４を収容する金属スリーブ６２を各々含む。ピンの端部は、スリーブの一端から突出し、ピンはスリーブ内で軸方向に滑動する。他の端ではスリーブ内のスプリングは、ピンの伸展位（図示）にバイアスさせ（偏在させ又は片寄らせ）、例えば、ピンアセンブリが硬い表面に押圧される場合のように、軸方向の圧力下でスリーブ内にピンが動くことを可能にする。
【００１１】
ハウジング要素２２、２４は、本質的に同じである。各々は、平坦な主壁６６、主壁から垂直方向に伸びる周囲の側壁７０、７２及び一の端壁７４を有するトレイ形状のシェルである。主壁６６は、基板アセンブリ１２の電子要素からの距離が異なる特徴を有してよい。これらの特徴は、電気接地リターンパス（インピーダンス）の整合性を維持するために存在する。主壁６６の正面エッジ７６は、壁が設けられていない。端壁は、より低いへりを有する壁の中央部分である切り取り部８０を規定する。切り取り部の端壁のエッジは、半円形に丸みが与えられ、ひずみをもたらして、ケーブル性能を減じ得る鋭いコーナーを有することなく、ケーブルを収容する。ハウジング要素の内面は、例えば、Chomerics CHO-Shield （登録商標）コーティング等の導電性材料でコートされ、電気的磁気的干渉に対してシールドを与える。内面は、プリント基板１２に面する全ての表面を含む。従って、組み立てた場合、ケーブルを受け入れるスロットとピンが突出する側でのみ開いた金属のエンクロージャーが存在する。ハウジングはプラスチックから形成され、１．０ｍｍ（０．０４０インチ）の典型的な壁厚を有する。一組のネジ締結手段を用いて、上のシェルハーフ２２のボア８２を通して、下のシェルハーフのより小さなボア８４に係合して、シェルハーフを一体に締め付ける。
【００１２】
図２は、組み立てたターミナル１０を示す。スプリングピン２０のスリーブ６２は、スプリングピンパッド４６にハンダ付され、その結果、ピンの自由端は、基板１２のエッジ３０を超え、そして、ハウジング要素２２、２４のエッジ７６を超えて、突出する。各スプリングピン要素は、図示するように圧縮コイルスプリング８８を含む。ケーブル１４、１６は、基板に接続され、各露出した中央導体５２は、各々パッド４０に結合され、各リボンの全てのシールドはアースバー５６に結合される。リブ８６は、シールドを押して、その結果、導電性層９０は、オーム接触し、ハウジングを接地する。
【００１３】
基板１２は、複数の内側に埋め込んだ接地面を有する。少なくとも、基板は二つの接地面９２、９４を有し、各々は最も近くの主表面から等しく離隔している。用途のニーズとデザインルールによってピンの列の間の間隔９６は、予め規定されているので、二つの接地面に対する要求が存在する。しかし、表面の導体からの接地面の間隔は、同軸ケーブルに匹敵する性能特性を生ずるために使用される電気デザインファクターに基づく。ハウジング導電性層９０と接地面は、同軸ワイヤーのシールドと同じ機能を果たし；交互に接地されるピンは、隣接するピンに関して横方向のシールドを提供する。接地ビア（ground via）９８は、全ての接地面とアースバー３４につながっている。接地バイアス（ground vias）の配置と数は、種々のデザインによって変わる。
【００１４】
更に、基板と配線の種々の部分は、異なるインピーダンス特性を有してよく、また、均一なインピーダンス結果を達成するために、異なる接地面間隔を必要とすることがある。接地面は基板の外表面に存在してよく、向上した追加のシールドを提供し、信号の接地リターンパスを向上させる。図示した態様において、接地面９２と９４は、ピンの領域の下で延在する。箔の配線が回路基板にわたって延在する場合、より深い接地面１００、１０２は、ピンから離れてインピーダンスコントロールとシールドを提供する。図示していないが、接地面１００、１０２とビア９８との間に接続部がある。
【００１５】
スプリングピンとレセプタクルは、ハウジングのデザインと接地面の位置に合わせて選択すると、電気信号の調和のとれたインピーダンス特性を保持した。
【００１６】
図３は、スリーブ６２中のスプリング１１０によってピンアセンブリ６４が伸展位にバイアスするスプリングピン２０を示す。ピンアセンブリは、二つの導電性金属部分を含む。第１ピン部分１１２は、長尺シャフト１１４を有し、その大部分はスリーブ内に緊密に収容される。シャフトはスプリングが押圧後端部１１６を有する。ピンの軸を中心に、そして、ピンの軸に垂直に、ピンから軸方向に離れて延在する平坦円形表面１２２を有するくぎ頭状フランジ１２０を有する自由端で、第１部分１１２は終端する。フランジは、スリーブより大きな直径を有する円筒状の周囲表面１２４を有するが、これは別の態様では異なってもよい。
【００１７】
ピンの第２部分１２６は、第１部分の前方に位置し、一又はそれ以上の鋭いプローブポイント１３４を有する自由端１３２を有する最小限の長さを存するシャフト１３０を有する。シャフトは、第１部分のフランジ１２０と同じ形状及び寸法のフランジ１３６を有する第１ピン部分に面するその後端部で終わり、後部表面１４０は、第１部分のフランジ面の表面１２２に対向し、それに平行である。ピン部分シャフトは、共通軸に配列する。
【００１８】
フランジ表面は、フランジ間に並列で接続されるコンデンサ１４４と抵抗器１４２に機械的に及び電気的に接続される。これらの電子要素の各々は、第２ピン部分に構造的支持を提供する強い機械的接続のためのピンフランジに直接ハンダ付けすることを容易にするメタライゼーション（metallization）によるエンドポールフェイス（end pole face）を有する。要素は、寸法が異なることもあり、フランジの機械的形状を種々の寸法に適合させるために、（例えば、ステップを用いて）成形しなければならない。スリーブは、要素が壊れやすい場合、又は小さすぎる、又はその他の点で不適当なので実質的な強さを提供することができない場合、補償するために機械的強度を提供することができる。追加の構造的支持を提供するため、及び機械的バリアと環境シールを用いて要素を保護するために、プラスチックスリーブ１４６は、フランジと要素を包囲する。スリーブは、フランジ周囲にぴったりフィットし、例えばシアノアクリレート等のウィッキング接着剤を用いて封止する（又はシールする）ことができる。スリーブは、張り出すことなく、フランジ全体を被覆するために適する長さを有する。
【００１９】
好ましい態様において、スリーブは、金メッキのニッケル／銀から形成され、７．４ｍｍ（０．２９２インチ）の長さ、０．６４ｍｍ（０．０２５インチ）の直径、及び０．５１ｍｍ（０．０２０インチ）の内部穴の直径を有する。ピンの第１部分１１２は、２．１ｍｍ（０．０８４インチ）のシャフト長、０．３８ｍｍ（０．０１５インチ）のシャフト直径、０．５１ｍｍ（０．０２０インチ）のフランジ直径、及び０．２５ｍｍ（０．０１０インチ）のフランジ厚又は軸長を有する。ピンの第２部分１２６は、（０．０１５インチ）のシャフト長、０．５１ｍｍ（０．０２０インチ）のシャフト直径を有する。ピン部分シャフト直径は、好ましい態様と同じであるが、これは、スリーブ穴とプローブチップの機械的制約が、種々の直径を有することに関する利点をもたらし得る別の態様に対する場合である必要はない。第２部分は、０．５１ｍｍ（０．０２０インチ）のフランジ直径、及び０．２５ｍｍ（０．０１０インチ）のフランジ厚又は軸長を有する。
【００２０】
第二ピン部分１２６の全体の長さ０．６４ｍｍ（０．０２５インチ）は、調べられるデバイスと電子要素１４２及び１４４との間のこの極めて制限された長さが、１２ＧＨｚの極めて高い自己共振を生じ、それがこの周波数限界までの有用な操作を可能にするという重要な長所をもたらす。別の態様において、第２部分の長さを、実際的な限界に減じることができる（端の特徴を有するように形成された電子要素を用いることを含む）。第２部分チップは、試験中にデバイスの高い位置の要素又は角度的なミスアライメントによって、フランジ又はスリーブを望ましくない接触を生じないようにだけ十分に突出する。
【００２１】
第２部分は、その長さがフランジ直径の２倍より小さい場合、電気的性能と機械的構造の有益な組み合わせを提供すると考えられる。この利益は長さが、１．３ｍｍ（０．０５０インチ）より短い場合達成される。これは、伝達されたエネルギーを吸収する適当に低い誘電正接（又は損失正接：loss tangent）をもたらすからである。カプトン（Kapton）（登録商標）ポリイミド上の常套の配線に対する典型的な誘電正接は０．００３０であり、好ましい態様では、誘電正接０を達成する。試験中のデバイスとＲＣ要素との間のプローブの導電性部分（金属チップ）は、空気によって囲まれており、フィルム又はＰＣ基板（PC board）上に設けられていないからである。比較性能を下記表に示した。
【００２２】
【表１】
2007533974.tif 000003
【００２３】
第２ピン部分の質量は、従来技術のスリーブ＋ピン全体より相当小さいので、スリーブに隣接するプリント基板上の受動ＲＣ要素を頼らなければならない従来技術より極めて低い誘電正接を達成する。
【００２４】
第２部分の第１部分（スリーブを含む）に対する長さの比は、１／１０より小さく、第２部分の質量の第１部分とスリーブの質量に対する比は、１：３より小さい。これらの低い比は、回路基板上に設けられるＲＣ要素を有する中実のピンにまさる好ましい態様の相対的な長所の指標をもたらす。
【００２５】
上述したことは、好ましい及び別の態様として説明したが、本発明をそのように制限することを意図するものではない。
【図面の簡単な説明】
【００２６】
【図１】図１は、本発明の好ましい態様に基づくケーブルターミナルアセンブリの分解斜視図である。
【図２】図２は、図１のアセンブリの側断面図である。
【図３】図３は、図１の態様に基づくプローブピンアセンブリの側断面図である。
【図１】
2007533974.tif 000004
【図２】
2007533974.tif 000005
【図３】
2007533974.tif 000006
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
（１）ボアを規定する導電性スリーブ；及び
（２）ボアに収容されるプローブピン
を含んで成る電気プローブであって、
該プローブピンは、
（ａ）第１方向に延在する自由端コンタクトチップを有し；
（ｂ）第１方向にバイアスし；及び
（ｃ）自由端コンタクトチップとピンの反対の端との間に直列的に介在する電子要素を含む電気プローブ。
【請求項２】
電子要素は、ピンより実質的に大きな抵抗を有する抵抗器を含む請求項１に記載のプローブ。
【請求項３】
電子要素は、抵抗器と並列のコンデンサを含む請求項２に記載のプローブ。
【請求項４】
電子要素は、コンデンサを含む請求項１に記載のプローブ。
【請求項５】
ピンは、スリーブに収容される第１導電性部分を有し、第２導電性部分は、チップを含み、電子要素は、第１部分と第２部分との間に接続される請求項１に記載のプローブ。
【請求項６】
第１部分と第２部分は、電子要素によって接続されていることを除いて、電気的に絶縁されている請求項５に記載のプローブ。
【請求項７】
第１部分と第２部分は、各々フランジを有し、フランジは離隔して、電子要素に接続されている請求項５に記載のプローブ。
【請求項８】
フランジと電子要素を包囲する円筒形スリーブを含む請求項７に記載のプローブ。
【請求項９】
第２部分は、その直径の二倍より短い長さを有する請求項５に記載のプローブ。
【請求項１０】
第２部分は、１２．７ｍｍ（０．５０インチ）より短い長さを有する請求項５に記載のプローブ。
【請求項１１】
（１）ボディー；及び
（２）請求項１〜１０のいずれかに記載の複数のプローブを含んで成る電気コネクターであって、
該プローブは、ボディーに接続され、
各プローブは、（ａ）スプリングによってバイアスし（ｂ）金属コンタクトチップを有するピンを有し、
電子要素は、チップに隣接する電気コネクター。
【請求項１２】
ボディーは、周囲部を有する回路基板であり、チップの各々は周囲部を超えて延在する請求項１１に記載のコネクター。
【請求項１３】
各ピンは、ボディーの導体に電気的に接続されて、設けられたスリーブに収容され、各ピンは、スリーブの内で軸方向に往復する請求項１１に記載のコネクター。
【請求項１４】
プローブは第１ピッチ距離で配置され、第２部分は、第１ピッチ距離より短い長さを有する請求項１１に記載のコネクター。
【請求項１５】
ケーブルの複数の導体の各々は、独立して各プローブに接続されるように、ボディーと電気的に接続されるケーブルを含む請求項１３に記載のコネクター。
【手続補正２】
【補正対象書類名】明細書
【補正対象項目名】００２４
【補正方法】変更
【補正の内容】
【００２４】
第２部分の第１部分（スリーブを含む）に対する長さの比は、１／１０より小さく、第２部分の質量の第１部分とスリーブの質量に対する比は、１：３より小さい。これらの低い比は、回路基板上に設けられるＲＣ要素を有する中実のピンにまさる好ましい態様の相対的な長所の指標をもたらす。
以下に、本発明の主な態様を示す。
１．
（１）ボアを規定する導電性スリーブ；及び
（２）ボアに収容されるプローブピン
を含んで成る電気プローブであって、
該プローブピンは、
（ａ）第１方向に延在する自由端コンタクトチップを有し；
（ｂ）第１方向にバイアスし；及び
（ｃ）自由端コンタクトチップとピンの反対の端との間に直列的に介在する電子要素を含む電気プローブ。
２．
電子要素は、ピンより実質的に大きな抵抗を有する抵抗器を含む上記１に記載のプローブ。
３．
電子要素は、抵抗器と並列のコンデンサを含む上記２に記載のプローブ。
４．
電子要素は、コンデンサを含む上記１に記載のプローブ。
５．
（１）ボアを規定する導電性スリーブ；及び
（２）ボアに収容されるプローブピンを含んで成る電気プローブであって、
該プローブピンは、
（ａ）第１方向に延在する自由端コンタクトチップを有し；
（ｂ）第１方向にバイアスし；及び
（ｃ）コンデンサを含む
プローブ。
６．
プローブピンは、ピンより実質的に大きな抵抗を有する抵抗器を含む上記５に記載のプローブ。
７．
コンデンサは、抵抗器と並列で接続された上記６に記載のプローブ。
８．
ピンは、スリーブに収容される第１導電性部分を有し、第２導電性部分は、チップを含み、電子要素は、第１部分と第２部分との間に接続される上記１又は５に記載のプローブ。
９．
第１部分と第２部分は、電子要素によって接続されていることを除いて、電気的に絶縁されている上記８に記載のプローブ。
１０．
第１部分と第２部分は、各々フランジを有し、フランジは離隔して、電子要素に接続されている上記８に記載のプローブ。
１１．
フランジと電子要素を包囲する円筒形スリーブを含む上記１０に記載のプローブ。
１２．
第２部分は、その直径の二倍より短い長さを有する上記８に記載のプローブ。
１３．
第２部分は、０．５０インチより短い長さを有する上記８に記載のプローブ。
１４．
（１）ボディー；及び
（２）ボディーに接続される複数のプローブを含んで成る電気コネクターであって、
各プローブは金属コンタクトチップを有するスプリングバイアスピンを有し、
各ピンは、チップに隣接した電子要素を含み、チップとピンの反対の端との間に直列的に介在する電気コネクター。
１５．
ボディーは、周囲部を有する回路基板であり、チップの各々は周囲部を超えて延在する上記１４に記載のコネクター。
１６．
各電子要素は、並列に配置されたコンデンサと抵抗器を含む上記１４に記載のコネクター。
１７．
各ピンは、ボディーの導体に電気的に接続されて、設けられたスリーブに収容され、各ピンは、スリーブの内で軸方向に往復する上記１４に記載のコネクター。
１８．
各ピンは、スリーブ内に収容される第１導電性部分を有し、第２導電性部分はチップを含み、電子要素は、第１部分と第２部分との間に接続される上記１７に記載のコネクター。
１９．
第１部分と第２部分は、電子要素によって接続されていることを除いて、電気的に絶縁されている上記１８に記載のコネクター。
２０．
第１部分と第２部分の各々は、フランジを有し、フランジは相互に離隔して、電子要素に接続されている上記１８に記載のコネクター。
２１．
第２部分は、その直径の二倍より短い長さを有する上記１８に記載のコネクター。
２２．
プローブは第１ピッチ距離で配置され、第２部分は、第１ピッチ距離より短い長さを有する上記１８に記載のコネクター。
２３．
ケーブルの複数の導体の各々は、独立して各プローブに接続されるように、ボディーと電気的に接続されるケーブルを含む上記１７に記載のコネクター。
【国際調査報告】
2007533974.tif 000007
2007533974.tif 000008
2007533974.tif 000009
2007533974.tif 000010
2007533974.tif 000011